(57)【要約】【課題】塩素系薬剤を用いた循環浴槽における塩素処理方法において、水酸化カルシウム等の析出による薬注配管閉塞のおそれがなく、入浴の快適性を著しく損なう「カルキ臭」の発生を抑制する塩素処理方法を提供する。【解決手段】塩素化イソシアヌル酸を溶解してなる水溶液を、循環浴槽の循環水に添加する。【選択図】なし【特許請求の範囲】
【請求項１】
塩素化イソシアヌル酸を溶解してなる水溶液を、循環浴槽の循環水に添加することを特徴とする循環浴槽における塩素処理方法。
【請求項２】
上記水溶液の塩素化イソシアヌル酸濃度が、有効塩素として１％以下であることを特徴とする請求項１に記載の循環浴槽における塩素処理方法。
【発明の詳細な説明】
【技術分野】
【０００１】
本発明は、少なくとも一部の浴槽水を循環使用する循環浴槽における塩素処理方法に関する。
【背景技術】
【０００２】
公衆浴場等では浴槽からの浴槽水を濾過や再加熱等の処理を行って再び浴槽内に戻す循環配管を有する循環浴槽が用いられる。
【０００３】
このような公衆浴場では、レジオネラ属菌が浴槽水中で増殖し入浴客に感染症を引き起こす問題が生じないよう、厚生労働省健康局長通知による「公衆浴場等における衛生管理要領」（非特許文献１）に従って、浴槽水中の遊離残留塩素濃度は、通常０．２〜０．４ｍｇ／Ｌ程度に保つことが求められている。さらに循環式浴槽の浴槽水を消毒するための塩素系薬剤は、循環配管に設けられたろ過装置の直前に投入することが求められている。
【０００４】
ここで、このような塩素系薬剤としては広く、水溶液として市販されている次亜塩素酸ナトリウムが用いられてきた。
【０００５】
しかしながら、一般に市販されている次亜塩素酸ナトリウムは有効塩素として１２％水溶液と濃度が高く、このため、浴槽水への添加量はわずかで充分であり、そのため添加システムに用いられている次亜塩素酸ナトリウム水溶液の経路配管は極めて細いことが多い。ここで、特に温泉水のようにカルシウム濃度の高い浴槽水に次亜塩素酸ナトリウム水溶液を添加する場合、次亜塩素酸ナトリウムと浴槽水中のカルシウム成分が反応し、とりわけ次亜塩素酸ナトリウム濃度が高くなる薬液注入点付近で水酸化カルシウムの結晶が生成し、上述のような細い配管経路を塞いで薬液の注入を妨げてしまい、その結果、上述の基準遊離残留塩素濃度を満足しなくなると云うおそれがあった。
【０００６】
このような配管経路の閉塞防止のために、次亜塩素酸ナトリウム水溶液に塩酸やクエン酸、燐酸などを添加して中和して注入する方法があるが、酸の注入が過剰となり、液性が酸性になった場合には、人体に有害な塩素ガスを発生するおそれがある。
【０００７】
このような次亜塩素酸ナトリウムを用いる技術に対して、例えば塩素化イソシアヌル酸などの固形ハロゲン化薬剤を充填した薬剤充填容器に循環浴槽水の一部を供給して溶解させ、得られたハロゲン化薬剤が溶解した循環浴槽水を、再度浴槽に戻すと云う技術が特開平１０−２３５３６８号（特許文献１）によって開示されている。
【０００８】
この技術は、循環式浴槽水に活性ハロゲンを放出する薬剤を短時間の内に効率よく、極めて安全に供給することができ、これらは殺菌作用を有するので、短時間の処理で殺菌効果が発現し、レジオネラ属菌などの感染症予防に有用であるとされている。
【特許文献１】特開平１０−２３５３６８号公報
【非特許文献１】「公衆浴場等における衛生管理要領」（２００３年２月１４日厚生労働省健康局長通知第０２１４００４号）
【発明の開示】
【発明が解決しようとする課題】
【０００９】
しかしながら、実際に特開平１０−２３５３６８号公報における技術を公衆浴場等の循環式浴槽に応用した場合、「臭気」の問題が生じ、入浴客に不快感を与えることが判った。
【００１０】
ここでの臭気とは具体的には「カルキ臭」として判定される臭気であり、種々検討の結果、トリクロラミンがこの臭気の主要因であることが判った。この「カルキ臭」は入浴の快適性を著しく損なうものであり、商業入浴施設において、このようなカルキ臭による浴室の快適性低下は集客力に響く大問題である。
【００１１】
このようなトリクロラミンは次亜塩素酸ナトリウム、塩素化イソシアヌル酸などの塩素系薬剤とアンモニア等の溶存窒素成分とが反応して生じる物質で、アンモニア等の窒素成分は浴槽水中の、入浴客の汗等の分泌物等に含まれたアンモニア等の窒素成分の他、入浴客の皮膚老廃物等の有機物や分泌有機物等の含窒素化合物が、高濃度の塩素系薬剤によって分解されて生成されるものである。
【００１２】
本発明はこのような、塩素系薬剤を用いた循環浴槽における塩素処理方法において、水酸化カルシウム等の析出による薬注配管閉塞のおそれがなく、入浴の快適性を著しく損なう「カルキ臭」の発生を抑制する塩素処理方法を提供することを目的とする。
【課題を解決するための手段】
【００１３】
本発明者等は上記目的を達成するため、種々検討を行ったところ次のようなことが判った。
【００１４】
比較的低い残留塩素濃度の浴槽水にアンモニア等の窒素成分を混合した場合、「カルキ臭」のほとんどないモノクロラミンやジクロラミンが発生し、トリクロラミンは発生しない。しかし、比較的高い残留塩素濃度の浴槽水にアンモニア等の窒素成分を混合した場合、「カルキ臭」の極めてつよいトリクロラミンが発生する。
【００１５】
さらに、上記従来技術のように、固体の塩素化イソシアヌル酸に浴槽水（４０℃程度以上）を供給した場合、塩素化イソシアヌル酸が浴槽水に溶解して形成された、飽和濃度に近い、極めて高い残留塩素濃度の浴槽水では、浴槽水に当初から含まれていたアンモニア等の窒素成分の他、浴槽水中の、入浴客の皮膚に付着した有機物や汗等の分泌物が塩素剤によって分解して発生した新たなアンモニア等の窒素成分が加わるため、「カルキ臭」の発生は一層多くなる。
本発明者等はこれら知見を元に、検討を進め、本発明に至った。
【００１６】
本発明の循環浴槽における塩素処理方法は上記課題を解決するため、請求項１に記載の通り、塩素化イソシアヌル酸を溶解してなる水溶液を、循環浴槽の循環水に添加する循環浴槽における塩素処理方法である。
【００１７】
本発明の循環浴槽における塩素処理方法は、請求項２に記載の通り、請求項１の循環浴槽における塩素処理方法において、上記水溶液の塩素化イソシアヌル酸濃度が、有効塩素として１％以下であることを特徴とする。
【発明の効果】
【００１８】
本発明の循環浴槽における塩素処理方法によれば、入浴客の皮膚に付着した有機物や汗等の分泌物等を含んだ浴槽水が、直接、高濃度の塩素溶液に接触することがなく、そのために、「カルキ臭」の発生が抑制され、快適な入浴が可能となる。
【００１９】
さらに、請求項２に係る循環浴槽における塩素処理方法によれば、より効果的にカルキ臭の発生を抑制することができる。
【発明を実施するための最良の形態】
【００２０】
本発明における塩素化イソシアヌル酸としては、トリクロロイソシアヌル酸、ジクロロイソシアヌル酸、あるいは、ジクロロイソシアヌル酸ナトリウム等が挙げられ、これらから１種類あるいは２種類以上組み合わせて用いることができる。ここでジクロロイソシアヌル酸ナトリウムが水に対する溶解度が高く、かつ、その溶液のｐＨが中性付近となるので好ましい。
【００２１】
また、塩素化イソシアヌル酸の水溶液は、中性〜酸性を呈するので、アルカリ性の次亜塩素酸ナトリウム水溶液で問題となっていた水酸化カルシウムの結晶の生成も抑制される。
【００２２】
本発明における、塩素化イソシアヌル酸を溶解してなる水溶液を調整するときには、浴槽水を用いず、水道水や源泉水など、入浴客の皮膚に付着した有機物や汗等の分泌物等を含まない水を用いる。
【００２３】
また、塩素化イソシアヌル酸としては粉状、粒状（顆粒状）、あるいはタブレット状のものが市販されていて、溶解方法によって好ましいものを適宜選択する。
【００２４】
溶解させるときには例えば塩素化イソシアヌル酸濃度が有効塩素として１％以下の、浴槽水にそのまま添加可能な濃度になるように撹伴や循環などの手段により溶解させた後、薬液注入ポンプを用いて浴槽水に添加する。
【００２５】
あるいは、例えば塩素化イソシアヌル酸濃度が有効塩素濃度として１％を超えない範囲の比較的高濃度の水溶液を調製した後、その水溶液を、より「カルキ臭」が発生しにくい低濃度に希釈して浴槽水に添加する方法を取ることもできる。
【００２６】
浴槽水に添加するときの塩素化イソシアヌル酸の濃度は有効塩素として１％以下であることが好ましい。有効塩素としての濃度が１％より高い水溶液を用いると、浴槽水に添加したときに、部分的に浴槽水の残留塩素濃度が高くなって、浴槽水中のアンモニアなどの窒素成分と反応して、強い「カルキ臭」の原因物質であるトリクロラミンが閾値以上の濃度で発生するおそれがある上、水溶液自体の酸性度が強くなり、酸性度が強くなると少しずつではあるが水溶液から塩素ガスが発生する場合がある。このような塩素ガスを発生させないための、より好ましい塩素化イソシアヌル酸濃度は有効塩素として６０００ｍｇ／Ｌ以下である。
【００２７】
一方、浴槽水に添加する水溶液における塩素化イソシアヌル酸濃度は、有効塩素として２０００ｍｇ／Ｌ以下とするとカルキ臭発生が効果的に防止される。
【００２８】
浴槽水に塩素化イソシアヌル酸を溶解してなる水溶液を添加する箇所としては、「公衆浴場等における衛生管理要領」（非特許文献１）に従って、循環配管に設けられたろ過装置の直前とし、また、浴槽水中の遊離残留塩素濃度は、やはり通常０．２〜０．４ｍｇ／Ｌ程度、最大１．０ｍｇ／Ｌに保つ。ただし、浴槽の掃除の前など入浴を前提しないときには１．０ｍｇ／Ｌを超えた濃度で、塩素処理を行うことが可能である。
【００２９】
ここで、固形ハロゲン化薬剤としてジクロロイソシアヌル酸ナトリウムを充填した容量１０Ｌの薬剤充填容器に循環浴槽水の一部を適宜供給して溶解させ、浴槽水中の遊離残留塩素濃度が０．２〜０．４ｍｇ／Ｌの範囲となるよう塩素処理を行っている循環浴槽（浴槽水のｐＨ：８．０、湯温：約４２℃、総浴槽水量：２０００ｋＬ）において、モニター１０人に対するアンケートを行ったところ、７０％の回答者が浴場内の「カルキ臭」を「気になる濃度」としていたが、本発明に係る塩素処理方法に変更、即ち、ジクロロイソシアヌル酸ナトリウムを源泉水に溶解して有効塩素として１０００ｍｇ／Ｌの水溶液を調整し、それを循環浴槽の循環ラインに注入して、浴槽水中の遊離残留塩素濃度が０．２〜０．４ｍｇ／Ｌの範囲となるよう塩素処理を行った結果、モニター１０人に対するアンケートで浴場内の「カルキ臭」を「気になる濃度」とした回答者は１０％に低下し、本発明の効果が著しく顕著であることが確認された。なお、このとき本発明に係る塩素処理システムでの浴槽水に添加する部分において、水酸化カルシウム等の結晶の発生はなかったことが確認された。
【産業上の利用可能性】
【００３０】
本発明によれば、塩素系薬剤を用いた循環浴槽における塩素処理方法において、水酸化カルシウム等の析出による薬注配管閉塞のおそれがなく、入浴の快適性を著しく損なう「カルキ臭」の発生を抑制することができる優れた塩素処理方法を提供することができ、従来からの循環浴槽に容易に応用することができ、快適な入浴を提供することが可能となる。